(57)【要約】【課題】水栓の蛇口に装着される切替ユニットを不要とした電解水生成装置を提供する。【解決手段】電解水生成装置１は、水を電気分解して電解水を生成する電解槽４と、電解槽４の上流又は下流に設けられ、水を浄化する浄水カートリッジ３と、電解槽４によって生成された電解水を吐水する吐水口２２ａとを備える。電解水生成装置１は、浄水カートリッジ３の上流に設けられた第１主水路３０と、浄水カートリッジ３の下流に設けられ、吐水口２２ａに接続される第２主水路４０と、第１主水路３０から分岐して、浄水カートリッジ３を迂回して第２主水路４０に接続される副水路５０と、第１主水路３０に供給された水を副水路５０に導く第１水路切替弁５とをさらに備え、浄水カートリッジ３を迂回した原水が吐水口２２ａから吐出される。これにより、電解水、浄水及び原水が吐水口２２ａから吐出可能となり、切替ユニットが不要となる。【選択図】  図２
2017100108.tif 000002
【特許請求の範囲】
【請求項１】
水を電気分解して電解水を生成する電解槽と、前記電解槽の上流又は下流に設けられ、水を浄化する浄水カートリッジと、前記電解槽によって生成された電解水を吐水する吐水口とを備えた電解水生成装置であって、
前記浄水カートリッジの上流に設けられた第１主水路と、
前記浄水カートリッジの下流に設けられ、前記吐水口に接続される第２主水路と、
前記第１主水路から分岐して、前記浄水カートリッジを迂回して前記第２主水路に接続される副水路と、
前記第１主水路に供給された水を前記副水路に導く第１水路切替弁とをさらに備え、
前記浄水カートリッジを迂回した水を前記吐水口から吐出可能としたことを特徴とする電解水生成装置。
【請求項２】
前記第１主水路は、装置外部の湯水混合水栓と接続される接続手段を有する請求項１記載の電解水生成装置。
【請求項３】
前記第１主水路を流れる水の温度を検出する水温センサーと、前記水温センサーから出力された信号に基づいて前記水路切替弁を制御する制御手段とをさらに備えた請求項２記載の電解水生成装置。
【請求項４】
前記副水路は、前記電解槽を迂回して前記第２主水路に接続される請求項１乃至３のいずれかに記載の電解水生成装置。
【請求項５】
前記副水路を流れる水を前記吐水口に導く第２水路切替弁をさらに備える請求項１乃至４のいずれかに記載の電解水生成装置。
【請求項６】
前記浄水カートリッジは、前記電解水生成装置の装置本体に対して着脱可能であり、
前記浄水カートリッジの着脱状態を検出する着脱検知手段をさらに備え、
前記制御部は、前記着脱検知手段から出力された信号に基づいて前記水路切替弁を制御する請求項３記載の電解水生成装置。
【発明の詳細な説明】
【技術分野】
【０００１】
本発明は、水を電気分解することにより電解水を生成する電解水生成装置に関する。
【背景技術】
【０００２】
水を電気分解して水素分子が溶け込んだ電解水素水を生成できる電解水生成装置が知られている。近年、普段の生活の中で電解水素水を気軽に摂取できるように、家庭用の電解水生成装置が普及している。例えば、特許文献１には、水道水を浄化する着脱自在な浄水カートリッジと、浄水カートリッジによって浄化された水を電気分解する電解槽とを備えた電解水生成装置が開示されている。
【先行技術文献】
【特許文献】
【０００３】
【特許文献１】特許第４６１３８３４号公報
【０００４】
上記特許文献１に記載されている電解水生成装置では、原水を供給する水栓の蛇口に水路を切り替えるための切替ユニットが装着される。切替ユニットは、切替ユニットに設けられた吐水口から原水を直接吐水する水路、又は、原水を電解水生成装置の本体に供給する水路に選択的に切り替える。例えば、温水を吐出する場合、前者の水路が選択される。一方、後者の水路が選択された場合、浄水カートリッジによって浄化され電解槽によって電気分解された電解水は、切替ユニットに戻され、切替ユニットに設けられた吐水口から吐出される。
【０００５】
切替ユニットは、水路を切り替える構成上、相応のサイズを要することから小型化が困難であり、キッチンの美感を損なうおそれがある。また、近年の切替ユニットは、種々の美的処理がなされているものの、個々のキッチンとの間で統一的なデザインが施されている蛇口等との親和性に欠けるおそれがある。
【０００６】
上記特許文献１に記載されている電解水生成装置で切替ユニットを廃した場合において、水栓から温水が電解水生成装置に供給されたとき、浄水カートリッジに温水が流入する。このため、浄水カートリッジによって既に濾し取られた不純物が温水に溶け込んで装置から吐出されるおそれがある。ユーザーが切替ユニットの操作を誤った場合も、上記と同様である。
【発明の概要】
【発明が解決しようとする課題】
【０００７】
本発明は、以上のような実状に鑑み案出されたもので、供給された原水を浄水カートリッジで浄化することなく吐水口から吐出可能とすることにより、水栓の蛇口に装着される切替ユニットを不要とした電解水生成装置を提供することを主たる目的としている。
【課題を解決するための手段】
【０００８】
本発明は、水を電気分解して電解水を生成する電解槽と、前記電解槽の上流又は下流に設けられ、水を浄化する浄水カートリッジと、前記電解槽によって生成された電解水を吐水する吐水口とを備えた電解水生成装置であって、前記浄水カートリッジの上流に設けられた第１主水路と、前記浄水カートリッジの下流に設けられ、前記吐水口に接続される第２主水路と、前記第１主水路から分岐して、前記浄水カートリッジを迂回して前記第２主水路に接続される副水路と、前記第１主水路に供給された水を前記副水路に導く第１水路切替弁とをさらに備え、前記浄水カートリッジを迂回した水を前記吐水口から吐出可能としたことを特徴とする。
【０００９】
本発明に係る前記電解水生成装置において、前記第１主水路は、装置外部の湯水混合水栓と接続される接続手段を有することが望ましい。
【００１０】
本発明に係る前記電解水生成装置において、前記第１主水路を流れる水の温度を検出する水温センサーと、前記水温センサーから出力された信号に基づいて前記水路切替弁を制御する制御手段とをさらに備えることが望ましい。
【００１１】
本発明に係る前記電解水生成装置において、前記副水路は、前記電解槽を迂回して前記第２主水路に接続されることが望ましい。
【００１２】
本発明に係る前記電解水生成装置において、前記副水路を流れる水を前記吐水口に導く第２水路切替弁をさらに備えることが望ましい。
【００１３】
本発明に係る前記電解水生成装置において、前記浄水カートリッジは、前記電解水生成装置の装置本体に対して着脱可能であり、前記浄水カートリッジの着脱状態を検出する着脱検知手段をさらに備え、前記制御部は、前記着脱検知手段から出力された信号に基づいて前記水路切替弁を制御することが望ましい。
【発明の効果】
【００１４】
本発明の電解水生成装置は、浄水カートリッジの上流に設けられた第１主水路と、浄水カートリッジの下流に設けられ、吐水口に接続される第２主水路と、電解水生成装置は、第１主水路から分岐して、浄水カートリッジを迂回して第２主水路に接続される副水路と、第１主水路に供給された水を副水路に導く第１水路切替弁とを備える。第１水路切替弁が水路を切り替えることにより、第１主水路に供給された水が副水路に流され、浄水カートリッジを迂回した後、吐水口から吐出される。これにより、電解水生成装置に供給された原水を浄水カートリッジで浄化することなく吐水口から吐出可能となり、水栓の蛇口に装着される切替ユニットを不要として、キッチンの美感を向上させることができる。また、切替ユニットの操作が不要となるので、電解水生成装置の操作が簡素化されうる。
【図面の簡単な説明】
【００１５】
【図１】本発明の電解水生成装置が設置されるキッチンの概略を示す斜視図である。
【図２】図１の電解水生成装置の構成を示すブロック図である。
【図３】図１の電解水生成装置の電気的構成を示すブロック図である。
【図４】図３の制御手段の動作を示すフローチャートである。
【図５】吐水口から浄水又は電解水を吐出する場合での電解水生成装置の各部の動作及び水の流れを示す図である。
【図６】吐水口から原水を吐出する場合での電解水生成装置の各部の動作及び水の流れを示す図である。
【図７】図２の電解水生成装置の変形例の概略構成を示すブロック図である。
【図８】図２の電解水生成装置の別の変形例の概略構成を示すブロック図である。
【発明を実施するための形態】
【００１６】
以下、本発明の実施の一形態が図面に基づき説明される。
図１は、本実施形態の電解水生成装置１が設置されるキッチンを示している。本実施形態の電解水生成装置１は、シンク２００の周辺で湯水混合水栓１００等の水源に隣接して設置される。
【００１７】
湯水混合水栓１００は、電解水生成装置１に原水を供給する。原水には、一般的には水道水が利用されるが、その他、例えば、井戸水、地下水等を用いることができる。湯水混合水栓１００から供給される原水には、常温の上記水道水等の他、給湯器等の加熱手段（図示せず）によって所望の温度に加熱された温水も含まれる。
【００１８】
電解水生成装置１は、装置本体２と、給水管２１と、吐水管２２と、排水管２３と、操作手段２４とを備える。給水管２１、吐水管２２及び排水管２３は、装置本体２からのびている。
【００１９】
給水管２１は、その先端に設けられた接続手段２１ａを介して、湯水混合水栓１００の蛇口１０１と接続されている。蛇口１０１は、湯水混合水栓１００の本体部からアーム状に延出された水栓パイプの先端部に設けられている。給水管２１は、湯水混合水栓１００の本体部に直接的に接続されていてもよい。給水管２１は、湯水混合水栓１００から供給された原水を、装置本体２に導く。
【００２０】
吐水管２２は、電解水生成装置１の装置本体２内で生成された電解水を吐出する。例えば、吐水管２２は、装置本体２内で生成された電解水素水を吐水する。吐水管２２の先端には、吐水口２２ａが設けられている。吐水口２２ａは、シンク２００の上方から水を吐出する。電解水生成装置１の使い勝手を高めるために、吐水管２２は、装置本体２に対して回転自在に装着されていてもよい。
【００２１】
排水管２３は、電解水生成装置１の装置本体２内で副次的に生成された電解水を排出する。例えば、吐水管２２は、装置本体２内で電解水素水を生成する際に副次的に生成される酸素が溶け込んだ電解酸素水を排出する。排水管２３の先端は、シンク２００内に配置される。
【００２２】
操作手段２４は、電解水生成装置１の装置本体２に設けられている。操作手段２４は、ユーザーによって操作されるスイッチ又は静電容量を検出するタッチパネル等（図示せず）を有する。操作手段２４は、電解水生成装置１の運転モードを切り替えるために、ユーザーによって操作される。操作手段２４は、ユーザーの操作に応じた電気信号を電解水生成装置１の制御手段７（図３参照）に出力する。電解水生成装置１の運転モードとしては、「電解水素水モード」、「電解酸素水モード」、「浄水モード」及び「原水モード」等が含まれる。
【００２３】
電解水素水モードは、装置本体２内で電解水素水を生成し、吐水口２２ａから吐出させるモードである。電解水素水モードで副次的に生成された電解酸素水は、排水管２３から排出される。電解酸素水モードは、装置本体２内で電解酸素水を生成し、吐水口２２ａから吐出させるモードである。電解酸素水モードで副次的に生成された電解水素水は、排水管２３から排出される。
【００２４】
浄水モードは、装置本体２内で浄化された浄水を生成し、吐水口２２ａから吐出させるモードである。原水モードは、湯水混合水栓１００から供給された原水を装置本体２内を通過させて、原水のまま吐水口２２ａから吐出させるモードである。以下、本明細書は、浄水カートリッジ３を通過していない水を「原水」と定義する。従って、原水には、常温の水の他、湯水混合水栓１００から供給される温水が含まれる。原水モードで吐出される原水は、例えば、食器の洗浄等に用いられる。
【００２５】
図２は、電解水生成装置１の概略構成を示している。電解水生成装置１は、水を浄化する浄水カートリッジ３と、水を電気分解して電解水を生成する電解槽４とを備える。
【００２６】
浄水カートリッジ３は、電解水生成装置１に供給された原水を濾過することにより、浄水を生成する。本実施形態の浄水カートリッジ３は、装置本体２に対して着脱可能に構成されている。これにより、使用により又は経時によって寿命を迎えた浄水カートリッジ３は、新品の浄水カートリッジ３に交換されうる。
【００２７】
浄水カートリッジ３は、電解槽４の上流に設けられている。従って、浄水カートリッジ３によって浄化された水が、電解槽４に供給される。
【００２８】
電解水生成装置１は、第１主水路３０及び第２主水路４０を有する。第１主水路３０は、浄水カートリッジ３の上流に設けられている。第１主水路３０には、第１主水路３０ａ、３０ｂ、３０ｃが含まれる。図１に示される給水管２１は、第１主水路３０の一部を構成する。第１主水路３０は、蛇口１０１から供給された原水を浄水カートリッジ３に導く。
【００２９】
第２主水路４０は、浄水カートリッジ３の下流に設けられている。第２主水路４０には、第２主水路４０ａ、４０ｂ、４０ｃが含まれる。図１に示される吐水管２２は、第２主水路４０の一部を構成する。第２主水路４０は、浄水カートリッジ３から流出する浄水を電解槽４等を介して吐水口２２ａに導く。
【００３０】
電解槽４は、隔膜によって区分された陽極室及び陰極室を有する。陽極室及び陰極室には、それぞれ給電体が配されている。上記電解水素水は陰極室にて、上記電解酸素水は陽極室にてそれぞれ生成される。電解槽４の構成は、例えば、特開２０１５−１７６０６３号公報に開示されている公知の電解槽と同等であってもよい。従って、本明細書では、電解槽４に関する詳しい説明は省略される。
【００３１】
電解槽４の上流側及び下流側には、例えば、特許第５８０９２０８号公報に開示されているダブルクロスライン弁が設けられていてもよい。
【００３２】
電解水生成装置１は、副水路５０及び第１水路切替弁５を有する。副水路５０は、第１主水路３０から分岐して、浄水カートリッジ３及び電解槽４を迂回して第２主水路４０に接続される。第１水路切替弁５は、副水路５０の第１主水路３０からの分岐箇所に設けられている。第１水路切替弁５は、第１主水路３０に供給された水を副水路５０に導く。第１水路切替弁５には、例えば、モーター等によって駆動される三方弁が適用されうる。
【００３３】
初期状態の電解水生成装置１では、第１水路切替弁５によって上流側の第１主水路３０ｂと下流側の第１主水路３０ｃとが連通され、副水路５０が閉じられている。これに伴い、副水路５０の機能は無効化されている。第１水路切替弁５が、水路を切り替えて、第１主水路３０ｂと副水路５０とを連通させ、第１主水路３０ｃを閉じることにより、副水路５０が有効化される。すなわち、給水管２１から供給された原水が副水路５０に流され、浄水カートリッジ３及び電解槽４を迂回した後、吐水口２２ａから吐出される。これにより、電解水生成装置１に供給された原水を、浄水カートリッジ３を通過させることなく、原水のまま吐水口２２ａから吐出することが可能となる。
【００３４】
従って、仮に、湯水混合水栓１００から電解水生成装置１に、原水として温水が供給された場合であっても、第１水路切替弁５によって水路を副水路５０に切り替えることにより、温水を浄水カートリッジ３を迂回させて吐水口２２ａから吐出できる。従って、浄水カートリッジ３によって既に濾し取られた不純物が温水に溶け込んで、温水と共に吐水口２２ａから吐出されるおそれが抑制される。
【００３５】
また、湯水混合水栓１００の蛇口１０１に装着される切替ユニットを不要として、キッチンの美感を向上させることができる。さらにまた、切替ユニットの操作が不要となるので、電解水生成装置１の操作が簡素化されうる。
【００３６】
図３は、電解水生成装置１の電気的構成を示している。電解水生成装置１は、水温センサー６及び制御手段７を有する。
【００３７】
図２に示されるように、水温センサー６は、第１水路切替弁５の上流側の第１主水路３０に設けられている。水温センサー６及び第１水路切替弁５によって、第１主水路３０は、第１主水路３０ａ、３０ｂ、３０ｃに分割される。第１主水路３０ａは、水温センサー６の上流に配され、給水管２１と接続される。第１主水路３０ｂは、水温センサー６の下流かつ第１水路切替弁５の上流に配される。第１主水路３０ｃは、第１水路切替弁５の下流に配される。
【００３８】
水温センサー６は、第１主水路３０を流れる水の温度を検出して、対応する電気信号を制御手段７に出力する。
【００３９】
制御手段７は、電解水生成装置１の各部の制御を司る。例えば、操作手段２４によって切り替えられた電解水生成装置１の運転モードに応じて、制御手段７は、電解槽４及び第１水路切替弁５を制御する。
【００４０】
制御手段７は、水温センサー６から出力された信号等に基づいて第１水路切替弁５を制御する。これにより、第１主水路３０を流れる水の温度に応じて、電解水生成装置１内の水路が切り替えられる。
【００４１】
初期状態の第１水路切替弁５は、副水路５０を閉じ、第１主水路３０ｂと第１主水路３０ｃとを連通させている。従って、水温センサー６を通過した原水は、第１主水路３０ｃを介して浄水カートリッジ３に供給される。そして、湯水混合水栓１００から温水が供給されて、水温センサー６によって検出された水温が予め定められた閾値（例えば３５℃）以上に上昇したとき、制御手段７は、第１水路切替弁５を動作させて、第１水路切替弁５の下流側の水路を第１主水路３０ｃから副水路５０へと切り替える。これにより、上記閾値以上の温水は、副水路５０に流れ込み、浄水カートリッジ３及び電解槽４を迂回する。そして、水温センサー６によって検出された水温が上記閾値未満となったとき、制御手段７は、第１水路切替弁５を動作させて、水路を切り替える。これにより、再び副水路５０が閉じられ、第１主水路３０ｂと第１主水路３０ｃとが連通される。
【００４２】
本電解水生成装置１の第２主水路４０には、第２水路切替弁８が設けられている。電解槽４と吐水口２２ａの間に設けられている。第２水路切替弁８には、例えば、モーター等によって駆動される三方弁が適用されうる。電解槽４及び第２水路切替弁８によって、第２主水路４０は、第２主水路４０ａ、４０ｂ、４０ｃに分割される。第２主水路４０ａは、電解槽４の上流に配される。第２主水路４０ｂは、電解槽４の下流かつ第２水路切替弁８の上流に配される。第２主水路４０ｃは、第２水路切替弁８の下流に配され、吐水管２２と接続される。
【００４３】
第２水路切替弁８の動作は、制御手段７によって制御される。制御手段７は、第２水路切替弁８を第１水路切替弁５と同期させて制御する。初期状態の第２水路切替弁８は、副水路５０を閉じ、第２主水路４０ｂと第２主水路４０ｃとを連通させている。第１水路切替弁５が水路を第１主水路３０ｃから副水路５０へと切り替えたとき、第２水路切替弁８は、第２主水路４０ｂを閉じ、副水路５０と第２主水路４０ｃとを連通させる。これにより、副水路５０を流れた水が電解槽４及び浄水カートリッジ３に逆流することが防止される。
【００４４】
電解水生成装置１は、浄水カートリッジ３の着脱状態を検出する着脱検知手段をさらに備える。本実施形態では、着脱検知手段として浄水カートリッジ３と通信を行なう通信手段９が適用されている。
【００４５】
通信手段９は、制御手段７によって制御され、浄水カートリッジ３に内蔵されているＲＦＩＤタグ３ａとの間で通信を行なう。例えば、通信手段９は、ＲＦＩＤタグ３ａと通信し、ＲＦＩＤタグ３ａに格納されている浄水カートリッジ３に固有の識別情報を読み出し、又は、浄水カートリッジ３の使用履歴等に関する情報をＲＦＩＤタグ３ａに書き込む。
【００４６】
通信手段９は、ＲＦＩＤタグ３ａと定期的に通信し、その結果を制御手段７にフィードバックする。浄水カートリッジ３の交換等の際に浄水カートリッジ３が電解水生成装置１の装置本体２から取り外されたとき、通信手段９とＲＦＩＤタグ３ａとの通信が中断する。従って、制御手段７は、通信手段９とＲＦＩＤタグ３ａとの通信を監視することにより、浄水カートリッジ３が装置本体２から取り外されていることを検知できる。
【００４７】
浄水カートリッジ３の着脱状態を検出する着脱検知手段としては、通信手段９以外の構成も適用されうる。例えば、浄水カートリッジ３の筐体と物理的に当接して浄水カートリッジ３の着脱状態を検出する構成の他、浄水カートリッジ３を着脱する際に開閉される装置本体２のカバーの開閉状態を検出する構成等が適用されうる。
【００４８】
図４は、電解水生成装置１への通水時における制御手段７の動作を示している。制御手段７は、浄水カートリッジ３の着脱状態を確認する（Ｓ１）。浄水カートリッジ３が装着されていない場合（Ｓ１においてＮ）、制御手段７は、第１水路切替弁５及び第２水路切替弁８を動作させて第１水路切替弁５と第２水路切替弁８との間の水路を副水路５０に切り替えて（Ｓ４）、通水を開始する（Ｓ５）。上記Ｓ４では、第１水路切替弁５は、第１主水路３０ｂの下流側の水路を第１主水路３０ｃから副水路５０へと切り替える。さらに、第２水路切替弁８は、第２主水路４０ｃの上流側の水路を第２主水路４０ｂから副水路５０へと切り替える。これにより、装置本体２の内部での水漏れが抑制されうる。
【００４９】
浄水カートリッジ３が装着されている場合（Ｓ１においてＹ）、制御手段７は、電解水生成装置１の運転モードを確認する（Ｓ２）。運転モードが原水モードであるとき（Ｓ２においてＹ）、制御手段７は、第１水路切替弁５及び第２水路切替弁８を動作させて第１水路切替弁５と第２水路切替弁８との間の水路を副水路５０に切り替えて（Ｓ４）、通水を開始する（Ｓ５）。これにより、浄水カートリッジ３を迂回した原水が吐水口２２ａから吐出される。
【００５０】
運転モードが原水モード以外のモードであるとき（Ｓ２においてＮ）、制御手段７は、水温センサー６によって検出された水温を確認する（Ｓ３）。水温が上記閾値以上であるとき（Ｓ３においてＹ）、制御手段７は、第１水路切替弁５及び第２水路切替弁８を動作させて第１水路切替弁５と第２水路切替弁８との間の水路を副水路５０に切り替えて（Ｓ４）、通水を開始する（Ｓ５）。これにより、浄水カートリッジ３への温水の流入が回避される。
【００５１】
そして、水温が上記閾値未満であるとき（Ｓ３においてＮ）、制御手段７は、第１水路切替弁５と第２水路切替弁８との間の水路を副水路５０に切り替えることなく、通水を開始する（Ｓ５）。これにより、浄水カートリッジ３を通過した浄水又は電解水が吐水口２２ａから吐出される。
【００５２】
図５は、吐水口２２ａから浄水又は電解水を吐出する場合（図４のＳ３においてＮ）での電解水生成装置１の各部の動作及び水の流れを示している。同図では、水が流れている領域が薄いハッチングで示されている（以下、図６においても同様とする）。この場合、第１水路切替弁５は、副水路５０を閉じ、第１主水路３０ｂと第１主水路３０ｃとを連通させ、第２水路切替弁８は、副水路５０を閉じ、第２主水路４０ｂと第２主水路４０ｃとを連通させている。これにより、浄水カートリッジ３に原水が供給され、浄水カートリッジ３を通過することにより生成された浄水が吐水口２２ａから吐出される。
【００５３】
図６は、吐水口２２ａから原水を吐出する場合（図４のＳ１においてＮ、Ｓ２においてＹ又はＳ３においてＹ）での電解水生成装置１の各部の動作及び水の流れを示している。この場合、第１水路切替弁５は、第１主水路３０ｃを閉じ、副水路５０と第１主水路３０ｂとを連通させ、第２水路切替弁８は、第２主水路４０ｂを閉じ、副水路５０と第２主水路４０ｃとを連通させている。これにより、第１主水路３０ｂを流れる原水は、浄水カートリッジ３を迂回して、吐水口２２ａから吐出される。
【００５４】
図７は、上記電解水生成装置１の変形例である電解水生成装置１Ａの概略構成を示している。電解水生成装置１Ａは、第２水路切替弁８が浄水カートリッジ３と電解槽４との間に配されている点で、上記電解水生成装置１とは異なる。電解水生成装置１Ａのうち、以下で説明されていない部分については、電解水生成装置１の構成が適宜採用されうる。
【００５５】
電解水生成装置１Ａでは、副水路５０を介して浄水カートリッジ３を迂回した原水が、電解槽４に流入される。従って、原水を電気分解した電解水を生成し、吐水口２２ａから吐出させることが可能となる。
【００５６】
図８は、上記電解水生成装置１の別の変形例である電解水生成装置１Ｂの概略構成を示している。電解水生成装置１Ｂは、電解槽４の下流に浄水カートリッジ３が設けられている点で、上記電解水生成装置１とは異なる。これに伴い、第１主水路３０ｃは、第１水路切替弁５の下流かつ電解槽４の上流に配され、第１主水路３０ｄは、電解槽４の下流に配される。また、第２主水路４０ａは、浄水カートリッジ３の下流かつ第２水路切替弁８の上流に配される。電解水生成装置１Ｂのうち、以下で説明されていない部分については、電解水生成装置１の構成が適宜採用されうる。
【００５７】
電解水生成装置１Ｂでは、電解槽４で生成された電解水素水若しくは電解酸素水が浄水カートリッジ３によって浄化される。従って、吐水口２２ａから吐出される電解水のみを浄化し、排水管２３から排出される電解水は、浄化されない。従って、浄水カートリッジ３の通水量を削減できる。
【００５８】
電解水生成装置１Ｂにあっては、電解槽４と浄水カートリッジ３との間に第１水路切替弁５が配されていてもよい。この場合、電解槽４によって電気分解された原水が、浄水カートリッジ３を迂回して吐水口２２ａから吐出される。
【００５９】
以上、本発明の電解水生成装置１が詳細に説明されたが、本発明は上記の具体的な実施形態に限定されることなく種々の態様に変更して実施される。すなわち、電解水生成装置１は、少なくとも、水を電気分解して電解水を生成する電解槽４と、電解槽４の上流又は下流に設けられ、水を浄化する浄水カートリッジ３と、電解槽４によって生成された電解水を吐水する吐水口２２ａとを備え、浄水カートリッジ３の上流に設けられた第１主水路３０と、浄水カートリッジ３の下流に設けられ、吐水口２２ａに接続される第２主水路４０と、第１主水路３０から分岐して、浄水カートリッジ３を迂回して第２主水路４０に接続される副水路５０と、第１主水路３０に供給された水を副水路５０に導く第１水路切替弁５とをさらに備え、浄水カートリッジ３を迂回した水を吐水口２２ａから吐出可能に構成されていればよい。
【符号の説明】
【００６０】
１    電解水生成装置
２    装置本体
３    浄水カートリッジ
４    電解槽
５    第１水路切替弁
６    水温センサー
７    制御手段
８    第１水路切替弁
９    通信手段（着脱検知手段）
２２ａ  吐水口
３０    第１主水路
４０    第２主水路
５０    副水路
【図１】
2017100108.tif 000003
【図２】
2017100108.tif 000004
【図３】
2017100108.tif 000005
【図４】
2017100108.tif 000006
【図５】
2017100108.tif 000007
【図６】
2017100108.tif 000008
【図７】
2017100108.tif 000009
【図８】
2017100108.tif 000010